(57)【要約】【課題】センサ出力の検出誤差を考慮した被写体判定処理を行う。【解決手段】所定の固定位置に位置する場合に使用者への情報を表示可能であり、前記固定位置とは別の位置から予め発光条件の判明している所定の検査光を発光可能な表示部と、被写体から入射する光を検出する検出部と、前記検出部からの検出出力に基づいて被写体情報を判定する被写体情報判定部と、前記被写体から入射する光が前記表示部から発光される前記検査光である場合に、少なくとも前記被写体情報判定部により判定される前記検査光に関する情報、および、予め判明している前記発光条件に基づいて、補正値を判定する補正値判定部と、前記補正値判定部により判定された前記補正値に基づいて前記被写体情報を補正する補正部とを備えて電子カメラを構成する。【選択図】図６
2010183488.tif 000002
【特許請求の範囲】
【請求項１】
所定の固定位置に位置する場合に使用者への情報を表示可能であり、前記固定位置とは別の位置から予め発光条件の判明している所定の検査光を発光可能な表示部と、
被写体から入射する光を検出する検出部と、
前記検出部からの検出出力に基づいて被写体情報を判定する被写体情報判定部と、
前記被写体から入射する光が前記表示部から発光される前記検査光である場合に、少なくとも前記被写体情報判定部により判定される前記検査光に関する情報、および、予め判明している前記発光条件に基づいて、補正値を判定する補正値判定部と、
前記補正値判定部により判定された前記補正値に基づいて前記被写体情報を補正する補正部と
を有することを特徴とする電子カメラ。
【請求項２】
請求項１に記載の電子カメラにおいて、
前記検出部は、固有の識別子を持つ着脱交換可能な撮像レンズを介して、前記検査光を検出し、
さらに、前記撮像レンズの持つ前記固有の識別子を読み出す識別子読み出し部と、
前記識別子読み出し部によって読み出された前記固有の識別子を、前記補正値判定部によって判定された補正値に関連付けて記憶する記憶部と
を有することを特徴とする電子カメラ。
【請求項３】
請求項２に記載の電子カメラにおいて、
さらに、前記識別子読み出し部によって読み出された前記固有の識別子に基づいて、前記記憶部によって記憶された前記固有の識別子に関連付けられた前記補正値を読み出す固有補正値読み出し部を有し、
前記補正部は、前記固有補正値読み出し部によって読み出された前記補正値に基づいて、前記検出部による検出を補正することを特徴とする電子カメラ。
【請求項４】
請求項１〜３のいずれか１項に記載の電子カメラにおいて、
さらに、予め判明している前記発光条件に関する情報を記憶する検査光情報記憶部を有することを特徴とする電子カメラ。
【請求項５】
請求項１〜４のいずれか１項に記載の電子カメラにおいて、
前記被写体情報は前記被写体の輝度に関する情報であり、
前記発光条件は前記検査光の輝度に関する条件であり、
前記検査光に関する情報は、前記検査光の輝度に関する情報であることを特徴とする電子カメラ。
【請求項６】
請求項１〜４のいずれか１項に記載の電子カメラにおいて、
前記被写体情報は前記被写体の色温度に関する情報であり、
前記発光条件は前記検査光の色温度に関する条件であり、
前記検査光に関する情報は、前記検査光の色温度に関する情報であることを特徴とする電子カメラ。
【請求項７】
請求項１〜６のいずれか１項に記載の電子カメラにおいて、
前記被写体情報は前記被写体の合焦情報であり、
前記発光条件は前記検査光の合焦に関する条件であり、
前記検査光に関する情報は、前記検査光の合焦に関する情報であることを特徴とする電子カメラ。
【請求項８】
請求項１〜７のいずれか１項に記載の電子カメラにおいて、
さらに、前記表示部が前記所定の固定位置とは別の固定位置に位置するか否かを判定する位置判定部を有することを特徴とする電子カメラ。
【請求項９】
請求項１〜８のいずれか１項に記載の電子カメラにおいて、
前記検出部は、被写体を撮像する撮像部を含むことを特徴とする電子カメラ。
【請求項１０】
請求項１〜９のいずれか１項に記載の電子カメラと、
前記表示部を所定の位置へ固定する固定装置と
から構成されることを特徴とする電子カメラシステム。
【発明の詳細な説明】
【技術分野】
【０００１】
本発明は、検出素子からの検出出力に基づく被写体情報を補正可能な電子カメラに関する。
【背景技術】
【０００２】
撮像素子による撮像の条件を決定するために、カメラ内には被写体光の輝度を測定するための素子、および、合焦位置を測定するための素子が設けられている。また、撮像素子により得られた画像信号のホワイトバランスを調整するために、カメラ内には被写体の色調を測定する素子が設けられている。これらの測定素子は製造段階で発生する誤差を有する場合があり、例えば特許文献１には焦点検出ユニットと測光ユニットによる測定の誤差を補正するためのキャリブレーションモードを備えたカメラが開示されている。
【０００３】
特許文献１に記載のキャリブレーションモードにおいては、位相差検出方式の焦点検出ユニットにより検出された合焦位置と、撮像素子による画像信号のコントラストに基づいて算出された合焦位置との差分を算出することで補正情報を得ている。また、測光ユニットによる測光結果に基づく露出値と撮像素子による露光値から算出した最適露出値との差分を算出することで補正情報を得ている。そしてこれらの補正情報を撮影時にフィードバックすることで、適した露出条件が得られることになる。
【先行技術文献】
【特許文献】
【０００４】
特開２００５−３１６９２
【発明の概要】
【発明が解決しようとする課題】
【０００５】
しかしながら、上記の技術を用いた場合、補正値を得るために複数回の検出、または、複数回の撮影が必要であるため、より正確な補正値を算出するためには、より多くの検出、または、撮影が必要となることが問題である。また、別の問題として、算出された補正値は撮影用の撮像素子による測定結果に基づいているため、算出された補正値は撮影用の撮像素子による測定結果が有する誤差に依存する問題が挙げられる。
このような問題を鑑みて、本発明は、検出素子からの検出出力に基づく被写体情報を補正することを目的とする。
【課題を解決するための手段】
【０００６】
請求項１に記載の電子カメラは、所定の固定位置に位置する場合に使用者への情報を表示可能であり、前記固定位置とは別の位置から予め発光条件の判明している所定の検査光を発光可能な表示部と、被写体から入射する光を検出する検出部と、前記検出部からの検出出力に基づいて被写体情報を判定する被写体情報判定部と、前記被写体から入射する光が前記表示部から発光される前記検査光である場合に、少なくとも前記被写体情報判定部により判定される前記検査光に関する情報、および、予め判明している前記発光条件に基づいて、補正値を判定する補正値判定部と、前記補正値判定部により判定された前記補正値に基づいて前記被写体情報を補正する補正部とを有することを特徴とする。
【０００７】
請求項２に記載の電子カメラは、請求項１に記載の電子カメラにおいて、前記検出部は、固有の識別子を持つ着脱交換可能な撮像レンズを介して、前記検査光を検出し、
さらに、前記撮像レンズの持つ前記固有の識別子を読み出す識別子読み出し部と、前記識別子読み出し部によって読み出された前記固有の識別子を、前記補正値判定部によって判定された補正値に関連付けて記憶する記憶部とを有することを特徴とする。
【０００８】
請求項３に記載の電子カメラは、請求項２に記載の電子カメラにおいて、さらに、前記識別子読み出し部によって読み出された前記固有の識別子に基づいて、前記記憶部によって記憶された前記固有の識別子に関連付けられた前記補正値を読み出す固有補正値読み出し部を有し、前記補正部は、前記固有補正値読み出し部によって読み出された前記補正値に基づいて、前記検出部による検出を補正することを特徴とする。
【０００９】
請求項４に記載の電子カメラは、請求項１〜３のいずれか１項に記載の電子カメラにおいて、さらに、予め判明している前記発光条件に関する情報を記憶する検査光情報記憶部を有することを特徴とする。
【００１０】
請求項５に記載の電子カメラは、請求項１〜４のいずれか１項に記載の電子カメラにおいて、前記被写体情報は前記被写体の輝度に関する情報であり、前記発光条件は前記検査光の輝度に関する条件であり、前記検査光に関する情報は、前記検査光の輝度に関する情報であることを特徴とする。
【００１１】
請求項６に記載の電子カメラは、請求項１〜４のいずれか１項に記載の電子カメラにおいて、前記被写体情報は前記被写体の色温度に関する情報であり、前記発光条件は前記検査光の色温度に関する条件であり、前記検査光に関する情報は、前記検査光の色温度に関する情報であることを特徴とする。
【００１２】
請求項７に記載の電子カメラは、請求項１〜４のいずれか１項に記載の電子カメラにおいて、前記被写体情報は前記被写体の合焦情報であり、前記発光条件は前記検査光の合焦に関する条件であり、前記検査光に関する情報は、前記検査光の合焦に関する情報であることを特徴とする。
【００１３】
請求項８に記載の電子カメラは、請求項１〜７のいずれか１項に記載の電子カメラにおいて、さらに、前記表示部が前記所定の固定位置とは別の固定位置に位置するか否かを判定する位置判定部を有することを特徴とする。
【００１４】
請求項９に記載の電子カメラは、請求項１〜８のいずれか１項に記載の電子カメラにおいて、前記検出部は、被写体を撮像する撮像部を含むことを特徴とする。
【００１５】
請求項１０に記載の電子カメラシステムは、請求項１〜９のいずれか１項に記載の電子カメラと、前記表示部を所定の位置へ固定する固定装置とから構成されることを特徴とする。
【発明の効果】
【００１６】
検出素子からの検出出力に基づく被写体情報を最適に補正することが可能となる。
【図面の簡単な説明】
【００１７】
【図１】本発明の態様のカメラ本体部および交換レンズの斜視図。
【図２】本発明の態様のカメラ本体部および交換レンズの斜視図。
【図３】本発明の態様のカメラ本体部の斜視図。
【図４】本発明の態様の固定装置の斜視図。
【図５】本発明の態様のカメラシステムのブロック図。
【図６】本発明の態様のカメラシステムの斜視図。
【図７】本発明の態様のカメラ本体部が有するフラッシュＲＡＭの模式図。
【図８】本発明の態様の補正値の出力処理を示す流れ図。
【図９】本発明の態様の検出補正処理を示す流れ図。
【図１０】本発明の態様の補正値の出力処理を示す流れ図。
【図１１】本発明の態様の検出補正処理を示す流れ図。
【発明を実施するための形態】
【実施例】
【００１８】
・第１の実施形態
本発明に係る電子カメラシステム１０を例示し、実施形態を以下に記す。電子カメラシステム１０は、カメラ本体部１００とカメラ本体部１００に着脱交換可能な交換レンズ２００とカメラ本体部に着脱交換可能な固定装置３００とから構成されるものとする。
【００１９】
（外観について）
カメラ本体部１００の外観を図１に示す。カメラ１００の上面右端部には操作部材として電源ボタン１０１、レリーズボタン１０２、液晶モニタ１０３が設置されている。電源ボタン１０１は、カメラ本体部１００の電力供給の開始（オン）、または、停止（オフ）を指示するためのボタンである。レリーズボタン１０２は、押し下げる深さに応じて「半押し」と「全押し」の二段階に操作可能な操作ボタンである。レリーズボタンの半押し操作は、被写体像を合焦させるための操作であり、レリーズボタンの全押し操作は、記録用画像の撮像の開始を指示するための操作である。液晶モニタ１０３は、アイコン、文字、数字、記号等を表示する表示画面と表示画面の背面に位置する光源とを有し、表示画面の背面に置かれた光源からの光が液晶を透過することによって表示が実現されるモニタである。
【００２０】
カメラ１００の上面左端部には、カメラモード切替えスイッチ１０４が設置されている。カメラモード切替えスイッチ１０４は回転式のスイッチであり、各種の撮像モードを選択するために操作される。例えば、レリーズボタン１０２の全押し操作毎に記録用の画像を撮像する単写モードや、レリーズボタン１０２の全押し操作が続いている間に、所定の間隔毎に連続して記録用の画像を撮像する連写モードなどを選択することができる。カメラ１００の背面には、十字キー１０５、検査光発光ボタン１０６、その他各種ボタン１０７、液晶モニタ１０８、および、ファインダ窓１０９が設置されている。
【００２１】
十字キー１０５は、液晶モニタ１０３、または、液晶モニタ１０８に表示される項目の選択、数値の入力等を行うための操作部材である。検査光発光ボタン１０６は液晶モニタ１０８からの検査光の発光を指示するための操作ボタンである。その他各種ボタン１０７は、記録した画像を再生表示するための再生モードの開始を指示する操作ボタンや各種設定を施すための操作ボタンとする。液晶モニタ１０８は、画像、アイコン、文字、数字、記号等を表示する表示画面と表示画面の背面に位置する光源とを有し、表示画面の背面に置かれた光源からの光が液晶を透過することによって表示が実現される構成とする。そして、液晶モニタ１０８は、カメラ本体部１００の背面部に取り付けること、および、背面部から取り外すことが可能なように構成される。なお、図１に示す液晶モニタ１０８は、カメラ本体部１００の固定位置に位置する状態を示しており、この位置に位置する場合は使用者へ各種情報を表示するために機能する。
【００２２】
ファインダ窓１０９は、後述の撮像の準備段階において使用者が焦点板１２０に結像した被写体像を確認するための窓である。また、交換レンズ２００は、カメラ本体部１００の前方に設置される。図２は、カメラ本体部１００と交換レンズ２００を前方から見た図を示す。カメラ本体部１００の前面には、レンズ取り外しボタン１１１が設置されている。レンズ取り外しボタン１１１は、交換レンズ２００をカメラ本体部から取り外すために操作されるボタンである。
また、電子カメラ１００の底面には、ネジ穴１１２、および、接続部１１３が設置されている。ネジ穴１１２は、後述の固定装置３００が備えるネジ山３０１と嵌合する。また、接続部１１３は、後述の固定装置３００が備える接続部３０２と嵌合し、カメラ本体部１００と固定装置３００とを電気的に接続させる。
【００２３】
図３は、液晶モニタ１０８をカメラ本体部１００の背面部から取り外した様子を示している。液晶モニタ１０８をカメラ本体部１００の背面部の固定位置からカメラ本体部１００に対して横方向にスライドさせることで、液晶モニタ１０８をカメラ本体部１００の背面部の固定位置から取り外すことが可能である（ケーブル１１４は後述のバス１４６と液晶モニタ１０８を電気的に接続している。）。ケーブル１１４は、バス１４６と液晶モニタ１０８とを電気的に接続するための複数の導線路を有するケーブルであり、ケーブル１１４とバス１４６を介して、液晶モニタ１０８とカメラ１００の各構成部との間の信号伝達が可能となる。また、ケーブル１１４を介して、不図示の電源から液晶モニタ１０８への電力供給が実現される。なお、例えばカメラ本体部１００内にケーブル１１４に接続される不図示の巻取り部を設け、ケーブル１１４は不図示の巻取り部よってカメラ本体部１００の筐体中に収納可能な構成とすることが好ましい。また、液晶モニタ１０８が備える光源は、後述の検査光が発光可能なように構成され、液晶モニタ１０８は後述の検査光の発光部として機能する。
【００２４】
図４は、固定装置３００の外観図である。固定装置３００は、ネジ山３０１、接続部３０２、位置合わせ部３０３、液晶モニタ固定枠３０４、および、接続部３０５を備える。液晶モニタ固定枠３０４は、液晶モニタ１０８を嵌め込み固定するための枠であり、位置合わせ部３０３の長手方向に移動可能なように構成される。接続部３０５は、液晶モニタ１０８の背面に取り付けられた不図示の接続部１４４を介して液晶モニタ１０８と電気的に接続される。
【００２５】
次に、本実施形態の電子カメラシステム１０の内部構成を図５のブロック図を参照して説明する。カメラ本体部１００は、液晶モニタ１０３、液晶モニタ１０８、ファインダ窓１０９、接続部１１３、ケーブル１１４、カメラＣＰＵ１１５、絞り１１６、クイックリターンミラー１１７、サブミラー１１８、ミラー駆動部１１９、焦点板１２０、ペンタプリズム１２１、接眼レンズ１２２、再結像光学系１２３、カラーセンサ１２４、カラーセンサ駆動部１２５、Ａ／Ｄ変換回路１２６、輝度判定部１２７、色温度判定部１２８、焦点検出部１２９、合焦判定部１３０、絞り駆動部１３１、シャッタ１３２、シャッタ駆動部１３３、撮像素子１３４、撮像素子駆動部１３５、Ａ／Ｄ変換回路１３６、画像処理部１３７、表示制御部１３８、表示制御部１３９、フラッシュＲＡＭ１４０、バッファメモリ１４１、外部記憶媒体１４２、接続部１４３、接続部１４４、操作部１４５、および、システムバス１４６とから構成される。
【００２６】
カメラＣＰＵ１１５は、カメラ本体部１００の各構成要素を統括的に制御するためのＣＰＵであり、各種駆動部、制御部、判定部、および、記憶媒体等に電気的に接続される。
また、カメラＣＰＵ１１５はＲＯＭ領域を有し、そのＲＯＭ領域にカメラＣＰＵ１１５が実行する各種のプログラム、および、そのプログラムの実行に必要となる各種データ等が記録されている。
【００２７】
絞り１１６は、開口部を備えた略円環形状の部材であり、被写体光が通過する光量を調整するために設けられている。クイックリターンミラー１１７、および、サブミラー１１８に接続されたミラー駆動部１１９はモータ等によって構成され、クイックリターンミラー１１７、および、サブミラー１１８の位置を駆動する。具体的には、記録用の画像の撮像時において、ミラー駆動部１１９はクイックリターンミラー１１７、および、サブミラー１１８を記録用の画像の撮像光学系の光路から外れた位置（開位置）に退避させるように駆動する。また、撮像準備段階において、ミラー駆動部１１９はクイックリターンミラー１１７、および、サブミラー１１８が記録用の画像の撮像光学系の光路を遮蔽するような位置（閉位置）となるように駆動する。
【００２８】
クイックリターンミラー１１７、および、サブミラー１１８が閉位置の場合に、クイックリターンミラー１１７は、絞りを通過した被写体光の一部を焦点板１２０の方向へ導く。また、クイックリターンミラー１１７の一部は被写体光を透過させるハーフミラーとなっており、被写体光のうちハーフミラーを透過した被写体光はサブミラー１１８へ導かれる。焦点板１２０は、クイックリターンミラー１１７によって反射した被写体光を一旦結像させるためのスクリーンである。焦点板１２０に結像した被写体光はペンタプリズム１２１によって反射され被写体光のうち一部は、接眼レンズ１２２を介して、ファインダ窓１０９の方向へ導かれる。また、ペンタプリズム１２１によって反射された被写体光のうち一部は、再結像光学系１２３に導かれ、カラーセンサ１２４の受光面に再結像する。カラーセンサ駆動部１２５は、カメラＣＰＵ１１５の指示に基づき、再結像した被写体光を検出するためにカラーセンサ１２４を駆動させるための回路である。
【００２９】
このカラーセンサ１２４は、ＣＭＯＳ（Ｃｏｍｐｌｅｍｅｎｔａｒｙ Ｍｅｔａｌ Ｏｘｉｄｅ Ｓｅｍｉｃｏｎｄｕｃｔｏｒ）、および、ＲＧＢカラーフィルタ等から構成され、被写体の輝度と色温度を測定するために光を検出する検出部として機能する。カラーセンサ１２４は、被写体光による光信号をアナログ電気信号へ光電変換し、そのアナログ電気信号を検出信号としてＡ／Ｄ変換回路１２６に出力する。Ａ／Ｄ変換回路１２６は、出力されたアナログ電気信号をデジタル電気信号に変換し、そのデジタル電気信号を輝度判定部１２７、および、色温度判定部１２８に出力する。
【００３０】
輝度判定部１２７は、出力されたデジタル電気信号、および、後述のレンズパラメータ等から被写体光の輝度を判定し、その輝度をカメラＣＰＵ１１５に出力する回路である。色温度判定部１２８は、出力されたデジタル電気信号、および、レンズパラメータ等から被写体光の色温度を判定し、その色温度をカメラＣＰＵ１１５に出力する回路である。
【００３１】
また、サブミラー１１８において反射した被写体光は、焦点検出部１２９へ導かれる。焦点検出部１２９はセパレータレンズを備えており、セパレータレンズにより生成された２つの被写体像の像間隔に関する電気信号を合焦判定部１３０に出力する。合焦判定部１３０は、出力された像間隔に関する電気信号に基づいて合焦度合いを示す合焦情報を判定し、判定結果（合焦情報）をカメラＣＰＵ１１５に出力する。
【００３２】
また、絞り１１６、クイックリターンミラー１１７、サブミラー１１８、シャッタ１３２、および、撮像素子１３４は、記録用画像の撮像における撮像光学系の光軸に沿って配置される。そして、クイックリターンミラー１１７、および、サブミラー１１８が開位置にある時は、被写体光はシャッタ１３２の方向へと導かれる。絞り駆動部１３１はモータ等によって構成され、カメラＣＰＵ１１５の指示に基づき、絞り１１６の開口度合いを調整し、絞りを通過する被写体光の光量を制御する。シャッタ１３２は、被写体光の光路を機械的に開閉する構成を備える部材である。そしてシャッタ１３２に接続されるシャッタ駆動部１３３はモータ等によって構成され、カメラＣＰＵ１１５の指示に基づき、シャッタ１３２の開閉時間を制御する。
【００３３】
撮像素子１３４は、ＣＭＯＳ（Ｃｏｍｐｌｅｍｅｎｔａｒｙ Ｍｅｔａｌ Ｏｘｉｄｅ Ｓｅｍｉｃｏｎｄｕｃｔｏｒ）等から構成され、カラーイメージセンサとして機能し、被写体光による光信号をアナログ電気信号へ光電変換する。撮像素子駆動部１３５は、カメラＣＰＵ１１５の指示に基づき、撮像素子１３４に結像した被写体光を検出するために撮像素子１３４を駆動する。そして、撮像素子１３４によって生成されたアナログ電気信号はＡ／Ｄ変換回路１３６に出力される。
【００３４】
Ａ／Ｄ変換回路１３６は、撮像素子１３４によって生成されたアナログ電気信号を増幅およびデジタル化させ記録用の画像信号の元となるデジタル電気信号を生成し、画像情報としてバッファメモリ１４１に出力する。バッファメモリ１４１は、半導体メモリ等から構成され、デジタル電気信号を画像情報として一時記憶するための揮発性の記憶媒体として機能する。
【００３５】
画像処理部１３７は、カメラＣＰＵ１１５の指示に基づき、バッファメモリ１４１から出力された画像情報に対してホワイトバランス調整、色補間、輪郭強調、ガンマ補正などの画像処理を施した記録用の画像情報を生成する。外部記憶媒体１４２は、不図示のカードスロットを介してカメラ本体部１００に着脱可能とされる半導体メモリを備えるカード型の記憶媒体であり、画像処理後の記録用の画像情報を所定のフォーマットで記録するための記憶媒体である。フラッシュＲＡＭ１４０は不揮発性の記録媒体であり、カメラＣＰＵ１１５が実行する各種のプログラムに必要となる各種データが記録可能な構成とする。
【００３６】
表示制御部１３８は、液晶モニタ１０３へのアイコン、文字、数字、記号等の表示を制御する。表示制御部１３９は、液晶モニタ１０８への画像の表示、および、画像に重ねるアイコン、文字、数字、記号等の表示を制御する。また、表示制御部１３９は液晶モニタ１０８からの検査光の発光を制御する。
【００３７】
また、接続部１１３、接続部１４３、および、接続部１４４はそれぞれ接続部３０２、接続部２０１、および、接続部３０５と電気的に接続可能な構成である。
また、操作部１４５は、電源ボタン１０１、レリーズボタン１０２、カメラモード切替えスイッチ１０４、十字キー１０５、検査光発光ボタン１０６、および、その他各種ボタン１０７の操作部材を含み、さらに各種操作部材による操作内容を判定するための回路を備える。そして、操作部１４５は、操作内容の判定結果に関する信号をカメラＣＰＵ１１５に出力する。すなわち、カメラＣＰＵ１１５は、操作部１４５を介して、各種操作部材による操作内容を判定することが可能となる。
【００３８】
また、ケーブル１１４、カメラＣＰＵ１１５、ミラー駆動部１１９、カラーセンサ駆動部１２５、Ａ／Ｄ変換回路１２６、輝度判定部１２７、色温度判定部１２８、合焦判定部１３０、絞り駆動部１３１、シャッタ駆動部１３３、撮像素子駆動部１３５、Ａ／Ｄ変換回路１３６、画像処理部１３７、表示制御部１３８、表示制御部１３９、フラッシュＲＡＭ１４０、バッファメモリ１４１、外部記憶媒体１４２、接続部１１３、接続部１４３、および、接続部１４４はシステムバスに接続され、各構成部間の電気信号のやり取りがシステムバスを介して行われる。
【００３９】
つづいて、交換レンズ２００の内部構成について説明する。交換レンズ２００は、接続部２０１、レンズ群２０２、レンズ駆動部２０３、レンズＣＰＵ２０４、および、レンズＲＯＭ２０５から構成される。レンズ群２０２は、例えばフォーカスレンズやズームレンズを含む複数のレンズから構成される。レンズＣＰＵ２０４は、撮像レンズ群の少なくとも一部を移動させるためのレンズ駆動信号を発生する。レンズ駆動部２０３は超音波モータ等で構成され、レンズＣＰＵ２０４からのレンズ駆動信号に基づき撮像レンズ群の少なくとも一部を移動させて、フォーカス調整やズーム調整を行う。また、レンズ駆動部２０３は、レンズ群が有する各レンズの位置に関する情報をレンズＣＰＵ２０４に出力する。
【００４０】
また、カメラ本体部１００と交換レンズ２００は接続部１４３と接続部２０１とによって機械的および電気的に接続される。接続部２０１および接続部１４３を介して、レンズＣＰＵ２０４とカメラＣＰＵ１１５との双方向の情報伝達が可能となる。したがって、レンズ駆動部２０３は、レンズＣＰＵ２０４を介してカメラＣＰＵ１１５による駆動信号を受け取ることも可能である。また、レンズＲＯＭ２０５には、交換レンズ２００のレンズパラメータ（例えば、焦点距離、Ｆ値、射出瞳位置、レンズ固有の識別番号など）が記録されている。そして、カメラＣＰＵ１１５はレンズＣＰＵ２０４を介してレンズパラメータや固有の識別番号を読み出すことが可能となる。
【００４１】
次に、固定装置３００の内部構成について説明する。固定装置３００は接続部３０２および接続部３０５を備え、内部に備える導線路によってそれぞれが接続されている。また、接続部３０２は接続部１１３と電気的に接続可能であり、接続部３０５は、接続部１４４と電気的に接続可能である。これらの接続部１１３、および、接続部３０２を介してカメラＣＰＵ１１５は、液晶モニタ１０８が固定装置３００に設置されたか否かを判定することが可能となる。さらに、固定装置３００はカメラ本体部１００が有するネジ穴１１２に機械的に接続され、固定装置３００は液晶モニタ接続部３０４がカメラ本体部の前面側に位置するように制限された状態で嵌合されるものとする。
【００４２】
（通常モードの撮像準備段階の輝度判定、および、色温度判定について）
次に通常モードの撮像準備段階の輝度判定、および、色温度判定について説明する。なお、撮像準備段階においては、固定装置３００はカメラ本体部１００から取り外された状態とする。
【００４３】
カメラＣＰＵ１１５によって電源ボタン１０１の操作が判定されると、シャッタ駆動部１１９はカメラＣＰＵ１１５からの制御信号に基づいて、シャッタ１３２を閉位置に駆動制御して撮像素子１３４を遮光する。また、ミラー制御部はカメラＣＰＵ１１５による制御信号に基づいて、クイックリターンミラー１１７、および、サブミラー１１８を閉位置に駆動する。
【００４４】
カメラＣＰＵ１１５によって、通常モードであると判定されると、輝度判定部１２７は一定の時間毎に、レンズパラメータのうち検出信号に影響を与えるパラメータ、および、検出信号に基づいて被写体光の輝度を判定する。具体的には、カメラＣＰＵ１１５はレンズＣＰＵ２０４を介してレンズＲＯＭ２０５に記録されているレンズパラメータのうち輝度に影響を与えるパラメータを読み出し、輝度判定部１２７に出力する。そして、輝度判定部１２７は、カメラＣＰＵ１１５によって出力されたレンズパラメータに基づいて、Ａ／Ｄ変換回路１２６から出力されたデジタル電気信号に基づき輝度値を換算して輝度検出値を判定する。通常の輝度判定においては、この輝度検出値を被写体光の輝度としてカメラＣＰＵ１１５に出力する。カメラＣＰＵ１１５は、輝度判定部１２７によって判定された被写体光の輝度に基づいて露光条件を判定し、この露光条件、および、輝度をバッファメモリ１４１へ記録する。
【００４５】
さらに、所定の時間毎に、レンズパラメータのうち検出信号に影響を与えるパラメータ、および、検出信号に基づいて被写体光の色温度を判定する。具体的には、カメラＣＰＵ１１５はレンズＣＰＵ２０４を介してレンズＲＯＭ２０５に記録されているレンズパラメータのうち色温度に影響を与えるパラメータを読み出し、色温度判定部１２８に出力する。そして、色温度判定部１２８は、カメラＣＰＵ１１５によって出力されたレンズパラメータに基づいて、Ａ／Ｄ変換回路１２６から出力されたデジタル電気信号に基づき色温度を換算して色温度検出値を判定する。通常の色温度判定においては、この色温度検出値を被写体光の色温度としてカメラＣＰＵ１１５に出力する。カメラＣＰＵ１１５は、色温度判定部１２８によって判定された被写体光の色温度に基づいてホワイトバランスの調整量を判定し、このホワイトバランスの調整値、および、色温度をバッファメモリ１４１へ記録する。以上が、撮像準備段階の通常モードにおける輝度判定、および、色温度判定の説明である。
【００４６】
（記録用画像の撮像について）
つづいて、記録用画像の撮像について説明する。なお、撮像準備段階においては、固定装置３００はカメラ本体部１００から取り外された状態とする。
カメラＣＰＵ１１５によってレリーズボタン１０２の全押し操作が判定されると、下記の撮像処理が施される。カメラＣＰＵ１１５は、バッファメモリ１４１に記録された露光条件を読み出し、読み出した露光条件に基づいて絞り駆動部１３１、シャッタ駆動部１３３、ミラー駆動部１１９、および、撮像素子駆動部１３５に各種制御信号を伝達する。絞り駆動部１３１は、露光条件を示す制御信号に基づいて絞り１１６を駆動し、シャッタ駆動部１３３は露光条件を示す制御信号に基づいてシャッタ１３２を開位置に駆動し、ミラー駆動部１１９は露光条件を示す制御信号に基づいて、クイックリターンミラー１１７、および、サブミラー１１８が開位置となるように駆動する。さらに、カメラＣＰＵ１１５からの制御信号に基づいて撮像素子駆動部１３５は撮像素子１３４による露光を開始させる。
【００４７】
露光開始後、露光条件に基づいた時間だけ露光を行い、シャッタ駆動部１３３によりシャッタ１３２が閉位置に駆動され、露光が終了される。その後、画像処理が施される前の画像情報がバッファメモリ１４１に記録される。
次にバッファメモリ１４１に記録された画像情報は画像処理部１３７に出力され、撮像準備段階において判定されたホワイトバランスの調整量に基づいて、画像情報に対してホワイトバランス調整が施される。なお、色補間、輪郭強調、ガンマ補正などの画像処理も各種パラメータに基づいて施すものとする。そして、画像処理が施された画像情報は外部記憶媒体１４２に記録される。
【００４８】
（輝度補正値、および、色温度補正値の出力について）
次に図６に示す電子カメラシステム１０に基づいて、輝度および色温度の補正値の出力について説明する。
【００４９】
使用者は、カメラ本体部１００の背面から液晶モニタ１０８を取り外し、液晶モニタ１０８を液晶モニタ固定枠３０４に設置する。このとき、交換レンズ２００への外部光の入射が遮られるように設置することが好ましい。具体的には、液晶モニタ１０８の表示面を交換レンズ２００の開口部に密着させるように、位置合わせ部３０３に沿った長手方向に沿った液晶モニタ固定枠３０４の位置を決める。そして、使用者が検査光発光ボタン１０６を押すことで検査光による下記の検査が開始される。カメラＣＰＵ１１５によって検査光発光ボタン１０６の操作が判定されると、表示制御部１３９はカメラＣＰＵ１１５の指示に基づいて液晶モニタ１０８の表示面から補正用の検査光が発光されるように液晶モニタ１０８を制御する。また、このときクイックリターンミラー１１７、および、サブミラー１１８は閉位置となるように駆動される。
【００５０】
焦点板１２０へ導かれた検査光は、ペンタプリズム１２１、および、再結像光学系１２３を介してカラーセンサ１２４に導かれる。そして、カメラＣＰＵ１１５の指示に基づくカラーセンサ駆動部１２５の制御に基づきカラーセンサ１２４によって検査光が検出される。検出された検査光に関する光信号は、Ａ／Ｄ変換回路１２６を介して輝度判定部１２７、および、色温度判定部１２８へ出力される。そして、輝度判定部１２７は、上述した判定方法と同様に検査光に関する輝度検出値（輝度検査値）を判定し、この輝度検査値をカメラＣＰＵ１１５に出力する。また、色温度判定部１２８も上述した判定方法と同様に検査光に関する色温度検出値（色温度検査値）を判定し、この色温度検査値をカメラＣＰＵ１１５に出力する。
【００５１】
なお、液晶モニタ１０８から発光される検査光の輝度、および、色温度は予め判明されている特定の値であり、これらの予め判明されている輝度（輝度入力値）と予め判明されている色温度（色温度入力値）はＣＰＵ１１５が有するＲＯＭ領域に記録されているものとする。
【００５２】
カメラＣＰＵ１１５は、輝度入力値を読み出し、輝度に影響を与えるレンズパラメータに基づいて輝度入力値を換算し、この換算した値を輝度基準値と定義する。また、同様に、カメラＣＰＵ１１５は、色温度入力値を読み出し、色温度に影響を与えるレンズパラメータに基づいて色温度入力値を換算する。この換算した値を色温度基準値と定義する。
次に、カメラＣＰＵ１１５は、輝度検査値と輝度基準値とを比較することによって、輝度基準値からの輝度検査値のズレ量を打ち消すための輝度補正値を判定する。同様に、カメラＣＰＵ１１５は、色温度検査値と色温度基準値とを比較することによって、色温度検査値の色温度基準値からのズレ量を打ち消すための色温度補正値を判定する。次に、カメラＣＰＵ１１５は、レンズＣＰＵ２０４から出力された交換レンズ２００の識別番号を判別し、算出した輝度補正値と色温度補正値とを装着されている交換レンズ２００の識別番号に関連付けてフラッシュＲＡＭ１４０に出力し記録する。
【００５３】
つまり、上述の輝度補正値と色温度補正値は固有の交換レンズ２００に依存する補正値として記録されたことになる。例えば、交換レンズ２００とは別の交換レンズ４００、交換レンズ５００、交換レンズ６００に対して上記の処理を施した場合に、交換レンズ４００、交換レンズ５００、交換レンズ６００のそれぞれの交換レンズの識別番号に対応付けて補正値をフラッシュＲＡＭ１４０に出力し記録することができる。図７は、装着する交換レンズ２００、交換レンズ４００、交換レンズ５００、および、交換レンズ６００に対して上記の処理を実行した場合のフラッシュＲＡＭ１４０に記録される情報の形態を概念的に示している。
【００５４】
（撮像準備段階の輝度補正、および、色温度補正について）
カメラＣＰＵ１１５によって電源ボタン１０１の操作が判定された場合に以下の処理を施す。カメラＣＰＵ１１５は、レンズＣＰＵ２０４を介してレンズの識別番号をレンズＲＯＭ２０５から読み出す。カメラＣＰＵ１１５は、フラッシュＲＡＭ１４０を参照し、レンズＲＯＭ２０５から読み出したレンズの識別番号に対応する輝度補正値と色温度補正値とを判定し読み出す。そして、カメラＣＰＵ１１５は、読み出した輝度補正値を輝度判定部１２７に出力し、読み出した色温度補正値を色温度判定部１２８に出力する。輝度判定部１２７は出力された輝度補正値を加味して被写体光の輝度補正を実行する。具体的には、輝度判定部１２７は輝度検出値に対して輝度補正値を加味した換算を実行する。
【００５５】
同様に、カメラＣＰＵ１１５は、出力された色温度補正値を加味して被写体光の色温度補正を実行する。具体的には、色温度検出値に対して色温度補正値を加味した換算を実行する。すなわち、カメラＣＰＵ１１５は、輝度補正が反映された輝度値に基づいて露出条件を判定することを実現でき、色温度補正が反映された色温度に基づいてホワイトバランスの調整量を判定することを実現できる。
【００５６】
（輝度補正値、および、色温度補正値の出力の流れについて）
図８の流れ図に基づいて補正値の出力の流れについて説明する。使用者によって検査光発光ボタン１０６が押されるとカメラＣＰＵ１１５は図８の流れ図に示す手順で補正値出力プログラムの実行を開始する。
【００５７】
ステップＳ１０１において、カメラＣＰＵ１１５は、液晶モニタ１０８が交換レンズの開口部側（前方）に位置するか否かを判定する。具体的には、カメラＣＰＵ１１５によって、接続部１４４が接続部３０５に接続されており、かつ、接続部１１３がカメラ本体部３０２に接続されている場合には、液晶モニタ１０８が交換レンズ２００の開口部の前側にあると判定しステップＳ１０２に進み、それ以外の場合であると判定された場合にはステップＳ１１２に進む。
【００５８】
ステップＳ１０２において、カメラＣＰＵ１１５からの指示に基づき、表示制御部１３９は液晶モニタ１０８から検査光を発光させるように液晶モニタ１０８を制御し、ステップＳ１０３へ進む。
【００５９】
ステップＳ１０３において、カメラＣＰＵ１１５からの指示に基づき、カラーセンサ駆動部１２５は検査光を検出させるためカラーセンサ１２４を駆動する。また、カメラＣＰＵ１１５からの指示に基づき、Ａ／Ｄ変換回路１２６はカラーセンサ１２４よって得られたアナログの電気信号をデジタルの電気信号に変換し、そのデジタルの電気信号を輝度判定部１２７および色温度判定部１２８に出力する。その後ステップＳ１０４へ移行する。
ステップＳ１０４において、カメラＣＰＵ１１５の指示に基づき、輝度判定部１２７は出力されたデジタルの電気信号に基づいて輝度検査値を判定し、ステップＳ１０５へ進む。
ステップＳ１０５において、カメラＣＰＵ１１５の指示に基づき、色温度判定部１１８は出力されたデジタルの電気信号に基づいて色温度検査値を判定し、ステップＳ１０６へ進む。
【００６０】
ステップＳ１０６において、カメラＣＰＵ１１５は、フラッシュＲＡＭ１４０に記憶された輝度入力値を読み出し、輝度入力値から輝度基準値を判定してステップＳ１０７へ進む。
【００６１】
ステップＳ１０７において、カメラＣＰＵ１１５の指示に基づき輝度判定部１１７は輝度検査値をカメラＣＰＵ１１５に出力し、カメラＣＰＵ１１５は出力された輝度検査値とフラッシュＲＡＭ１４０から読み出した輝度入力値に基づく輝度基準値とを比較することによって輝度補正値を判定する。そして、カメラＣＰＵ１１５は、その輝度補正値を一旦バッファメモリ１４１に出力し記憶させ、ステップＳ１０８へ進む。
【００６２】
ステップＳ１０８において、カメラＣＰＵ１１５は、フラッシュＲＡＭ１４０に記憶された色温度入力値を読み出し、色温度基準値を判定しステップＳ１０９へ進む。
【００６３】
ステップＳ１０９において、カメラＣＰＵ１１５の指示に基づき色温度判定部１１８は色温度検査値をカメラＣＰＵ１１５に出力し、カメラＣＰＵ１１５は出力された色温度検査値とフラッシュＲＡＭ１４０から読み出した色温度入力値に基づく色温度基準値とを比較することによって色温度補正値を判定する。そして、カメラＣＰＵ１１５は、その色温度補正値を一旦バッファメモリ１４１に記憶させ、ステップＳ１１０へ進む。
【００６４】
ステップＳ１１０において、カメラＣＰＵ１１５はレンズＣＰＵを介してレンズＲＯＭ２０５から交換レンズ２００の識別番号を読み出し、ステップＳ１１１へ進む。
ステップＳ１１１において、カメラＣＰＵ１１５は、一旦バッファメモリ１４１に記憶させた輝度補正値、および、色温度補正値を交換レンズ２００の識別番号と関連付けてフラッシュＲＡＭ１４０に出力し、記録した後に本処理を終了する。
【００６５】
一方で、ステップＳ１１２においては、カメラＣＰＵ１１５の指示に基づいて表示制御部１３８が液晶モニタ１０３にエラーメッセージを表示させた後、カメラＣＰＵは本処理を終了する。例えば、液晶モニタ１０３には「検査できません」というメッセージを表示させる。
【００６６】
（輝度補正および色温度補正の流れについて）
図９の流れ図を参照し、カメラ電源ボタン１０１が押下された場合の検出補正の例について説明する。使用者によってカメラ電源ボタン１０１が押下された場合にカメラＣＰＵ１１５は図９に示す流れ図に示す手順で補正プログラムを実行する。
【００６７】
ステップＳ２０１において、カメラＣＰＵ１１５は、現在が撮像準備段階であるか否かを判定する。現在が撮像準備段階であると判定された場合にはステップＳ２０２へ進み、現在が撮像準備段階でないと判定された場合には本処理を終了する。
【００６８】
ステップＳ２０２において、カメラＣＰＵ１１５はレンズＣＰＵ２０４を介してレンズＲＯＭ２０５から交換レンズ２００の識別番号を読み出し、ステップＳ２０３へ進む。
ステップＳ２０３において、カメラＣＰＵ１１５は読み出した交換レンズ２００の識別番号と同じ番号がフラッシュＲＡＭ１４０に記録されているか否かを判定する。記録されていると判定された場合には、ステップＳ２０４へ進み、記録されていないと判定された場合には、ステップＳ２０７に進む。
【００６９】
ステップＳ２０４において、カメラＣＰＵ１１５は交換レンズ２００の識別番号に関連付けられて記録されている固有の輝度補正値および色温度補正値を読み出し、ステップＳ２０５へ進む。
【００７０】
ステップＳ２０５において、カメラＣＰＵ１１５は読み出した輝度補正値を輝度判定部１２７に出力する。また、カメラＣＰＵ１１５は読み出した色温度補正値を色温度判定部１２８に出力し、ステップＳ２０６に進む。
【００７１】
ステップＳ２０６において、カメラＣＰＵ１１５の指示に基づき輝度判定部１２７はカメラＣＰＵ１２８から出力された輝度補正値を加味して被写体光の輝度を判定する。また、カメラＣＰＵ１１５の指示に基づき色温度判定部１２８はカメラＣＰＵ１１５から出力された色温度補正値を加味して被写体光の色温度を判定しステップＳ２０１に移行する。
【００７２】
また、ステップＳ２０７において、上述の通常モードの輝度判定、および、色温度判定を施し、ステップＳ２０１へ移行する。
【００７３】
なお、本処理の開始は、カメラ電源ボタン１０１が押下された場合に限定されない。例えば、使用者によって交換レンズがカメラ本体部１００に取り付けられた場合、その他の輝度判定、または、色温度判定が実行される場合に本処理を開始させても良い。また、本処理を開始するための操作部材を設定し、その操作部材が操作された場合に本処理を開始しても良い。
【００７４】
・第２の実施形態
第１の実施形態との相違点について主に説明する。
第２の実施形態における構成は第１の実施形態における構成と同様とする。また、第２の実施形態について図１０、および、図１１を参照して説明する。
【００７５】
（輝度補正値および色温度補正値の出力処理について）
図１０の流れ図を参照し、補正値の出力例について説明する。使用者によって検査光発光ボタン１０６が押されるとカメラＣＰＵは図１０に示す流れ図に示す手順で補正値出力プログラムを実行する。
【００７６】
図１０に示す流れ図は、図８に示した流れ図からステップＳ１１０、および、ステップＳ１１１を省き、新たにステップＳ３１０を挿入したものに相当する。ステップＳ３０１〜ステップＳ３０９はステップＳ１０１〜ステップＳ１０９と同様の処理となるため説明を省略する。また、ステップＳ３１１はステップＳ１１２と同様の処理となるため説明を省略する。具体的には、カメラＣＰＵ１１５によってレンズＲＯＭ２０５から交換レンズ２００の識別番号を読み出すステップを省く。さらに、カメラＣＰＵ１１５による輝度補正値、および、色温度補正値を交換レンズ２００の識別番号と関連付けてフラッシュＲＡＭ１４０に記録する処理を省く。新たに追加したステップＳ３１０において、カメラＣＰＵ１１５は、一旦バッファメモリ１４１に記憶させた輝度補正値、および、色温度補正値をフラッシュＲＡＭ１４０に出力し、記録した後に本処理を終了する。
【００７７】
（輝度補正および色温度補正の処理について）
図１１の流れ図を参照し、カメラ電源ボタン１０１が押下された場合の検出補正の例について説明する。使用者によってカメラ電源ボタン１０１が押下された場合にカメラＣＰＵ１１５は図１１の流れ図に示す手順で検出補正プログラムを実行する。
【００７８】
図１１に示す流れ図は、図９に示した流れ図からステップＳ２０２、ステップＳ２０３、およびステップＳ２０４を省き、新たにステップＳ４０２、および、ステップＳ４０３を追加したものに相当する。ステップＳ４０１、ステップＳ４０４、ステップＳ４０５、ステップＳ４０６はそれぞれステップＳ２０１、ステップＳ２０５、ステップＳ２０６、ステップＳ２０７と同様の処理となるため説明を省略する。具体的には、カメラＣＰＵ１１５によってレンズＲＯＭ２０５から交換レンズ２００の識別番号を読み出すステップを省く。また、カメラＣＰＵ１１５による交換レンズ２００の識別番号と同じ番号がフラッシュＲＡＭ１４０に記録されているか否かを判定するステップを省く。さらに、カメラＣＰＵ１１５が交換レンズ２００の識別番号に関連付けられて記録されている固有の輝度補正値、および、色温度補正値を読み出すステップを省く。
【００７９】
新たに追加したステップＳ４０２において、カメラＣＰＵ１１５は輝度補正値、および、色温度補正値がフラッシュＲＡＭ１４０に記録されているか否かを判定する。記録されていると判定された場合には、ステップＳ４０３へ進み、記録されていないと判定された場合には、ステップＳ４０６へ進む。ステップＳ４０３においては、カメラＣＰＵ１１５はフラッシュＲＡＭ１４０に記録されている輝度補正値および色温度補正値を読み出し、ステップＳ４０４へ進む。以上が第２の実施形態の説明である。第２の実施形態においては、電子カメラシステム１０に本発明の態様を適用した例について説明したが、レンズ一体型の（レンズ交換が可能でない）電子カメラにおいても適用できる。
【００８０】
・補足
上述の実施形態においては、輝度と色温度に関する補正値を出力し、輝度と色温度に関して補正を実行したがこれらに限定されない。例えば検査光の発光に基づいて、合焦度合いの補正値（合焦補正値）を算出し、合焦補正値に基づいて合焦度合いに関して補正を実行しても良い。なお検査光の発光とは、検査のために必要な特定のパターンを表示することを含むものとする。
【００８１】
また、上述の実施形態においては、カラーセンサ１２４において検出した信号に基づいて輝度、および、色温度を検出しているがこれに限定されず記録用の撮像素子によって検出しても良い。また、独立した輝度センサ、および、色温度センサであっても良い。さらに、輝度と色温度のうち一方に関して補正値を出力しても良いし、輝度と色温度のうち一方に関して補正を実行しても良い。
【００８２】
また、上述の実施形態のレンズパラメータは、撮像条件に対応した値がレンズＲＯＭ２０５に記録されているものとし、カメラＣＰＵ１１５は撮像条件に対応した値を読み取ってくるものとする。または、レンズＲＯＭ２０５に、レンズパラメータに関する関数を記録させ、カメラＣＰＵ１１５はその関数に基づいてレンズパラメータを判定しても良い。
【００８３】
また、上述の実施形態においては、補正値をフラッシュＲＡＭ１４０に記録したが、他の記録媒体に記録してもよく本実施形態に限定されない。
【００８４】
また、上述の実施形態においては、液晶モニタ１０８により、検査光を発光させたが、モニタを有機ＥＬ（Ｅｌｅｃｔｒｏ−Ｌｕｍｉｎｅｓｃｅｎｃｅ）ディスプレイやプラズマディスプレイによって構成し、検査光を発光させてもよく本実施形態に限定されない。
さらに液晶モニタ１０８への電力供給は、液晶モニタ１０８内に内臓電池を備えて実現化してもよいし、カメラ本体部１００と液晶モニタ１０８に電力供給用のケーブルを接続する接続部を設けても良い。また、固定装置３００を介して電力を供給しても良い。
【００８５】
また、上述の実施形態においては、固定装置３００を用いて液晶パネル１０８を固定したが、本実施形態に限定されない。交換レンズの開口部を上向きにしてその上に液晶パネル１０８を載置しても良いし、使用者の手によって支えてもよい。
【００８６】
すなわち、本発明の特徴、機能を実現できる限り、本発明は実施の形態に限定されない。なお、以上の説明はあくまで一例であり、発明を解釈する際、上述の実施形態の記載事項と特許請求の範囲の記載事項の対応関係になんら限定も拘束もされない。
【産業上の利用可能性】
【００８７】
以上詳述したように本発明は、電子カメラの分野において大いに利用可能である。
【符号の説明】
【００８８】
１００  カメラ本体部
１０３  液晶モニタ
１０８  液晶モニタ
１１３  接続部
１１４  ケーブル
１１５  カメラＣＰＵ
１２４  カラーセンサ
１２６  Ａ／Ｄ変換回路
１２７  輝度判定部
１２８  色温度判定部
１２９  焦点検出部
１３０  合焦判定部
１３４  撮像素子
１３８  表示制御部
１３９  表示制御部
１４０  フラッシュＲＡＭ
１４１  バッファメモリ
１４３  接続部
１４４  接続部
１４５  操作部
２００  交換レンズ
２０１  接続部
２０２  レンズ群
２０３  レンズ駆動部
２０４  レンズＣＰＵ
２０５  レンズＲＯＭ
３００  固定装置
３０２  接続部
３０５  接続部
【図１】
2010183488.tif 000003
【図２】
2010183488.tif 000004
【図３】
2010183488.tif 000005
【図４】
2010183488.tif 000006
【図５】
2010183488.tif 000007
【図６】
2010183488.tif 000008
【図７】
2010183488.tif 000009
【図８】
2010183488.tif 000010
【図９】
2010183488.tif 000011
【図１０】
2010183488.tif 000012
【図１１】
2010183488.tif 000013